(57)【要約】【課題】端末装置および基地局装置が互いに、上りリンクの信号を用いて効率的に通信すること。【解決手段】端末装置は、追加されるＵｐＰＴＳの設定を示すための情報を受信し、ＳＲＳ、および、ＰＵＳＣＨを送信し、（ｉ）端末装置がスペシャルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を送信する。【選択図】図１８
2019091959.tif 000002
【特許請求の範囲】
【請求項１】
追加されるＵｐＰＴＳ（Uplink Pilot Time Slot）の設定を示すための情報を受信する受信部と、
ＳＲＳ（Sounding Reference Signal）、および、ＰＵＳＣＨ（Physical Uplink Shared Channel）を送信する送信部と、を備え、
前記送信部は、（ｉ）端末装置がスペシャルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を送信する
端末装置。
【請求項２】
追加されるＵｐＰＴＳ（Uplink Pilot Time Slot）の設定を示すための情報を送信する送信部と、
ＳＲＳ（Sounding Reference Signal）、および、ＰＵＳＣＨ（Physical Uplink Shared Channel）を受信する受信部と、を備え、
前記受信部は、（ｉ）端末装置がスペシャルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を受信する
基地局装置。
【請求項３】
端末装置に用いられる通信方法であって、
追加されるＵｐＰＴＳ（Uplink Pilot Time Slot）の設定を示すための情報を受信し、
ＳＲＳ（Sounding Reference Signal）、および、ＰＵＳＣＨ（Physical Uplink Shared Channel）を送信し、
（ｉ）端末装置がスペシャルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を送信する
通信方法。
【請求項４】
基地局装置に用いられる通信方法であって、
追加されるＵｐＰＴＳ（Uplink Pilot Time Slot）の設定を示すための情報を送信し、
ＳＲＳ（Sounding Reference Signal）、および、ＰＵＳＣＨ（Physical Uplink Shared Channel）を受信し、
（ｉ）端末装置がスペシャルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を受信する
通信方法。
【請求項５】
端末装置に実装される集積回路であって、
追加されるＵｐＰＴＳ（Uplink Pilot Time Slot）の設定を示すための情報を受信する受信回路と、
ＳＲＳ（Sounding Reference Signal）、および、ＰＵＳＣＨ（Physical Uplink Shared Channel）を送信する送信回路と、を備え、
前記送信回路は、（ｉ）端末装置がスペシャルサブフレームに含まれる前記追加された
ＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を送信する
集積回路。
【請求項６】
基地局装置に実装される集積回路であって、
追加されるＵｐＰＴＳ（Uplink Pilot Time Slot）の設定を示すための情報を送信する送信回路と、
ＳＲＳ（Sounding Reference Signal）、および、ＰＵＳＣＨ（Physical Uplink Shared Channel）を受信する受信回路と、を備え、
前記受信回路は、（ｉ）端末装置がスペシャルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を受信する
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE, 登録商標）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮ
ｏｄｅＢ（evolved NodeB）、端末装置をＵＥ（User Equipment）とも称する。ＬＴＥは
、基地局装置がカバーするエリアをセル状に複数配置するセルラー通信システムである。単一の基地局装置は複数のセルを管理してもよい。
【０００３】
ＬＴＥは、時分割複信（Time Division Duplex: TDD）に対応している。ＴＤＤ方式を
採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。
【０００４】
３ＧＰＰにおいて、上りリンクのキャパシティの強化のために、スペシャルサブフレームのＵｐＰＴＳにおいてＰＵＳＣＨを送信することが検討されている（非特許文献１）。
【先行技術文献】
【非特許文献】
【０００５】
【非特許文献１】"Motivation for New Work Item Proposal: UL transmission Enhancement for LTE", R1-160226, CMCC, 3GPP TSG RAN Meeting #71, Gothenburg, Sweden, 7th - 10th March 2016.
【非特許文献２】"3GPP TS 36.211 V12.5.0 (2015-03)", 26th March, 2015.
【非特許文献３】"3GPP TS 36.213 V12.5.0 (2015-03)", 26th March, 2015.
【発明の概要】
【発明が解決しようとする課題】
【０００６】
本発明は、上りリンク信号を用いて効率的に基地局装置と通信することができる端末装置、該端末装置と通信する基地局装置、該端末装置に用いられる通信方法、該基地局装置に用いられる通信方法、該端末装置に実装される集積回路、該基地局装置に実装される集積回路を提供する。ここで、当該上りリンク信号は、ＰＵＳＣＨ、ＳＲＳ、および／または、ＰＲＡＣＨを含んでもよい。
【課題を解決するための手段】
【０００７】
（１）本発明の態様は、以下のような手段を講じた。すなわち、本発明の第１の態様は、端末装置であって、追加されるＵｐＰＴＳ（Uplink Pilot Time Slot）の設定を示すための情報を受信する受信部と、ＳＲＳ（Sounding Reference Signal）、および、ＰＵＳ
ＣＨ（Physical Uplink Shared Channel）を送信する送信部と、を備え、前記送信部は、（ｉ）端末装置がスペシャルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を送信する。
【０００８】
（２）本発明の第２の態様は、基地局装置であって、追加されるＵｐＰＴＳ（Uplink P
ilot Time Slot）の設定を示すための情報を送信する送信部と、ＳＲＳ（Sounding Reference Signal）、および、ＰＵＳＣＨ（Physical Uplink Shared Channel）を受信する受
信部と、を備え、前記受信部は、（ｉ）端末装置がスペシャルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を受信する。
【０００９】
（３）本発明の第３の態様は、端末装置に用いられる通信方法であって、追加されるＵｐＰＴＳ（Uplink Pilot Time Slot）の設定を示すための情報を受信し、ＳＲＳ（Sounding Reference Signal）、および、ＰＵＳＣＨ（Physical Uplink Shared Channel）を送
信し、（ｉ）端末装置がスペシャルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を送信する。
【００１０】
（４）本発明の第４の態様は、基地局装置に用いられる通信方法であって、追加されるＵｐＰＴＳ（Uplink Pilot Time Slot）の設定を示すための情報を送信し、ＳＲＳ（Sounding Reference Signal）、および、ＰＵＳＣＨ（Physical Uplink Shared Channel）を
受信し、（ｉ）端末装置がスペシャルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を受信する。
【００１１】
（５）本発明の第５の態様は、端末装置に実装される集積回路であって、追加されるＵｐＰＴＳ（Uplink Pilot Time Slot）の設定を示すための情報を受信する受信回路と、ＳＲＳ（Sounding Reference Signal）、および、ＰＵＳＣＨ（Physical Uplink Shared Channel）を送信する送信回路と、を備え、前記送信回路は、（ｉ）端末装置がスペシャル
サブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を送信する。
【００１２】
（６）本発明の第６の態様は、基地局装置に実装される集積回路であって、追加されるＵｐＰＴＳ（Uplink Pilot Time Slot）の設定を示すための情報を送信する送信回路と、ＳＲＳ（Sounding Reference Signal）、および、ＰＵＳＣＨ（Physical Uplink Shared Channel）を受信する受信回路と、を備え、前記受信回路は、（ｉ）端末装置がスペシャ
ルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を受信する。
【発明の効果】
【００１３】
この発明によれば、端末装置および基地局装置は互いに、上りリンク信号を用いて効率的に通信することができる。
【図面の簡単な説明】
【００１４】
【図１】本実施形態における無線通信システムの概念図である。
【図２】本実施形態におけるフレーム構造タイプ２の無線フレームの概略構成を示す図である。
【図３】本実施形態における上りリンクスロットの概略構成を示す図である。
【図４】本実施形態における上りリンクサイクリックプリフィックス設定の一例を示す図である。
【図５】本実施形態におけるＵＬ／ＤＬ設定を示す図である。
【図６】本実施形態における上りリンクサブフレームの一例を示す図である。
【図７】本実施形態におけるスペシャルサブフレームの一例を示す図である。
【図８】本実施形態における下りリンクにおけるノーマルＣＰに対するスペシャルサブフレーム設定（special subframe configuration）の一例を示す図である。
【図９】本実施形態におけるパラメータUpPtsAddの取得方法の一例を示す図である。
【図１０】本実施形態におけるＰＤＣＣＨが検出されるサブフレームと、対応するＰＵＳＣＨ送信が調整されるサブフレームの関係の第１の例を示す図である。
【図１１】本実施形態におけるＰＤＣＣＨが検出されるサブフレームと、対応するＰＵＳＣＨ送信が調整されるサブフレームの関係の第１の例を示す図である。
【図１２】本実施形態におけるＰＤＣＣＨが検出されるサブフレームと、対応するＰＵＳＣＨ送信が調整されるサブフレームの関係の第２の例を示す図である。
【図１３】本実施形態におけるＰＤＣＣＨが検出されるサブフレームと、対応するＰＵＳＣＨ送信が調整されるサブフレームの関係の第２の例を示す図である。
【図１４】本実施形態におけるＰＵＳＣＨ送信のために利用可能なサブフレームを決定するための第１のフロー図である。
【図１５】本実施形態におけるランダムアクセスレスポンスグラントに対応するＰＵＳＣＨ送信のために利用可能なサブフレームの一例を示す図である。
【図１６】本実施形態におけるＰＵＳＣＨ送信のために利用可能なサブフレームを決定するための第２のフロー図である。
【図１７】本実施形態におけるランダムアクセスレスポンスグラントに対応するＰＵＳＣＨ送信のために利用可能なサブフレームの一例を示す図である。
【図１８】本実施形態における端末装置１の構成を示す概略ブロック図である。
【図１９】本実施形態における基地局装置３の構成を示す概略ブロック図である。
【発明を実施するための形態】
【００１５】
以下、本発明の実施形態について説明する。
【００１６】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１という。
【００１７】
以下、キャリアアグリゲーションについて説明する。
【００１８】
端末装置１は、複数のサービングセルが設定されてもよい。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。キャリアアグリゲーションにおいて、設定された複数のサービングセルを集約されたサービングセルとも称する。
【００１９】
本実施形態の無線通信システムは、ＴＤＤ（Time Division Duplex）および／またはＦＤＤ（Frequency Division Duplex）が適用される。セルアグリゲーションの場合には、
複数のサービングセルの全てに対してＴＤＤが適用されてもよい。また、セルアグリゲーションの場合には、ＴＤＤが適用されるサービングセルとＦＤＤが適用されるサービング
セルが集約されてもよい。本実施形態において、ＴＤＤが適用されるサービングセルをＴＤＤサービングセル、または、フレーム構造タイプ２を用いるサービングセルとも称する。
【００２０】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンド
オーバプロシージャにおいてプライマリーセルと指示されたセルである。ＲＲＣ（Radio Resource Control）コネクションが確立された時点、または、後に、セカンダリーセルが設定されてもよい。
【００２１】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。ＴＤＤにおいて、上りリンクにおいてサービングセルに対応するキャリアと、下りリンクにおいてサービングセルに対応するキャリアは同じである。
【００２２】
端末装置１は、同じバンドにおいて集約される複数のＴＤＤサービングセル（コンポーネントキャリア）において、複数の物理チャネル／複数の物理シグナルの同時送信を行うことができる。端末装置１は、同じバンドにおいて集約される複数のＴＤＤサービングセル（コンポーネントキャリア）において、複数の物理チャネル／複数の物理シグナルの同時受信を行うことができる。
【００２３】
本実施形態の物理チャネルおよび物理シグナルについて説明する。
【００２４】
図３において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２５】
ＰＵＣＣＨは、上りリンク制御情報（Uplink Control Information: UCI）を送信する
ために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。
【００２６】
ＰＵＳＣＨは、上りリンクデータ（Uplink-Shared Channel: UL-SCH）を送信するため
に用いられる。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００２７】
ＰＲＡＣＨは、ランダムアクセスプリアンブルを送信するために用いられる。
【００２８】
図３において、上りリンクの無線通信では、以下の上りリンク物理シグナルが用いられる。上りリンク物理シグナルは、上位層から出力された情報を送信するために使用されないが、物理層によって使用される。
・上りリンク参照信号（Uplink Reference Signal: UL RS）
【００２９】
本実施形態において、以下の２つのタイプの上りリンク参照信号が用いられる。
・ＤＭＲＳ（Demodulation Reference Signal）
・ＳＲＳ（Sounding Reference Signal / Sounding Reference Symbol）
【００３０】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００３１】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおける最後のＳＣ−ＦＤＭＡ（Single Carrier-Frequency Division Multiple Access）シン
ボル、または、ＵｐＰＴＳにおけるＳＣ−ＦＤＭＡシンボルにおいて送信される。
【００３２】
ＳＲＳ送信は、上位層シグナル、および／または、ＤＣＩフォーマットによってトリガーされる。上位層シグナルによるトリガーをトリガータイプ０とも称する。ＤＣＩフォーマットによるトリガーをトリガータイプ１とも称する。
【００３３】
トリガータイプ０に対応するＳＲＳは、上位層シグナルによって示された第１のリソース（サブフレーム、および、ＳＣ−ＦＤＭＡシンボル）において送信される。トリガータイプ１に対応するＳＲＳは、上位層シグナルによって示された第２のリソース（サブフレーム、および、ＳＣ−ＦＤＭＡシンボル）において送信される。１つのＤＣＩフォーマットに基づくトリガーに応じて、トリガータイプ１に対応するＳＲＳは１回だけ送信される。
【００３４】
１つの端末装置１は、１つのＵｐＰＴＳにおける複数のＳＣ−ＦＤＭＡシンボルのそれぞれにおいてＳＲＳを送信してもよい。１つの端末装置１は、１つのＵｐＰＴＳにおける複数のＳＣ−ＦＤＭＡシンボルのそれぞれにおいて、トリガータイプ０に対応するＳＲＳを送信してもよい。ここで、該１つのＵｐＰＴＳにおける該複数のＳＣ−ＦＤＭＡシンボルは、時間領域において連続しているのが好ましい。基地局装置３は、第１のリソースとして、ＵｐＰＴＳにおける連続する複数のＳＣ−ＦＤＭＡシンボルを示す情報を、端末装置１に送信してもよい。
【００３５】
図３において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３６】
ＰＢＣＨは、端末装置１で共通に用いられるマスターインフォメーションブロック（Master Information Block: MIB, Broadcast Channel: BCH）を報知するために用いられる
。
【００３７】
ＰＣＦＩＣＨは、ＰＤＣＣＨの送信に用いられる領域（ＯＦＤＭシンボル）を指示する情報を送信するために用いられる。
【００３８】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３９】
ＰＤＣＣＨおよびＥＰＤＣＣＨは、下りリンク制御情報（Downlink Control Information: DCI）を送信するために用いられる。下りリンク制御情報を、ＤＣＩフォーマットと
も称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００４０】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。
【００４１】
上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。ＰＤＣＣＨで送信される上りリンクグラントを、ＤＣＩフォーマット０とも称する。
【００４２】
下りリンクグラント、または、上りリンクグラントに付加されるＣＲＣパリティビットは、Ｃ−ＲＮＴＩ（Cell-Radio Network Temporary Identifier）、Ｔｅｍｐｏｒａｒｙ
Ｃ−ＲＮＴＩ、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ
Ｃ−ＲＮＴＩは、セル内において端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置１を識別するために用いられる識別子である。
【００４３】
Ｃ−ＲＮＴＩ、および、Ｔｅｍｐｏｒａｒｙ  Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００４４】
ＰＤＳＣＨは、下りリンクデータ（Downlink Shared Channel: DL-SCH）を送信するた
めに用いられる。
【００４５】
ＰＭＣＨは、マルチキャストデータ（Multicast Channel: MCH）を送信するために用いられる。
【００４６】
図３において、下りリンクの無線通信では、以下の下りリンク物理シグナルが用いられる。下りリンク物理シグナルは、上位層から出力された情報を送信するために使用されな
いが、物理層によって使用される。
・同期信号（Synchronization signal: SS）
・下りリンク参照信号（Downlink Reference Signal: DL RS）
【００４７】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００４８】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００４９】
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００５０】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックは
コードワードにマップされ、コードワード毎に符号化処理が行なわれる。
【００５１】
基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control
message、RRC information: Radio Resource Control informationとも称される）を送
受信してもよい。また、基地局装置３と端末装置１は、媒体アクセス制御（MAC: Medium Access Control）層において、ＭＡＣ  ＣＥ（Control Element）を送受信してもよい。
ここで、ＲＲＣシグナリング、および／または、ＭＡＣ  ＣＥを、上位層の信号（higher
layer signaling）とも称する。ＰＵＳＣＨおよびＰＤＳＣＨは、ＲＲＣシグナリング、および、ＭＡＣ  ＣＥを送信するために用いられる。
【００５２】
図２は、本実施形態におけるフレーム構造タイプ２の無線フレームの概略構成を示す図である。フレーム構造タイプ２は、ＴＤＤに適用できる。図２において、横軸は時間軸である。
【００５３】
時間領域における種々のフィールドのサイズは、時間ユニットTs=1/(15000・2048)秒の数によって表現される。フレーム構造タイプ２の無線フレームの長さは、Tf=307200・Ts=10msである。フレーム構造タイプ２の無線フレームは、時間領域において連続する２つのハーフフレームを含む。それぞれのハーフフレームの長さは、Thalf-frame=153600・Ts=5msである。それぞれのハーフフレームは、時間領域において連続する５つのサブフレームを含む。それぞれのサブフレームの長さは、Tsubframe=30720・Ts=1msである。それぞれ
のサブフレームｉは、時間領域において連続する２つのスロットを含む。該時間領域において連続する２つのスロットは、無線フレーム内のスロット番号nsが２ｉのスロット、お
よび、無線フレーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。
【００５４】
以下、本実施形態のスロットの構成について説明する。図３は、本実施形態における上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡシンボル番号／インデックスであり、ｋはサブキャリア番号／インデックスである。
【００５５】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００５６】
リソースグリッドは、アンテナポート毎に定義される。本実施形態では、１つのアンテナポートに対する説明を行う。複数のアンテナポートのそれぞれに対して、本実施形態が適用されてもよい。
【００５７】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。上りリンクにおけるノーマルＣＰ（normal Cyclic Prefix）に対して、NULsymbは７である。上りリンクにおける拡張ＣＰ（extended ＣＰ）に対して、NULsymbは６である。
【００５８】
端末装置１は、上りリンクにおけるＣＰ長を示すパラメータUL-CyclicPrefixLengthを
基地局装置３から受信する。基地局装置３は、セルに対応する該パラメータUL-CyclicPrefixLengthを含むシステムインフォメーションを、該セルにおいて報知してもよい。
【００５９】
図４は、本実施形態における上りリンクサイクリックプリフィックス設定の一例を示す図である。NCP,lはスロットにおけるＳＣ−ＦＤＭＡシンボルｌに対する上りリンクＣＰ
長を示す。上りリンクサイクリックプリフィックス設定（UL-CyclicPrefixLength）がノ
ーマルＣＰである場合、l=0に対してNCP,0=160である。ＣＰ長を除くＳＣ−ＦＤＭＡシンボルｌの長さは、2048・Tsであり、ＣＰ長を含むＳＣ−ＦＤＭＡシンボルｌの長さは、(NCP,l+2048)・Tsである。
【００６０】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領
域における（物理）リソースブロックサイズである。本実施形態において、サブキャリア間隔Δfは１５ｋＨｚであり、NRBscは１２である。すなわち、本実施形態においてNRBsc
は、１８０ｋＨｚである。
【００６１】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは
、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB -1）が付けられる。
【００６２】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて基本的に同じであるため、下りリンクのスロットの構成の説明は省略する。
【００６３】
ＴＤＤサービングセルにおいて、該ＴＤＤサービングセルに対する上りリンク帯域幅設定の値と、該ＴＤＤサービングセルに対する下りリンク帯域幅設定の値は同じである。
【００６４】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００６５】
上りリンクスロットにおけるＳＣ−ＦＤＭＡシンボルｌにおける時間-連続（time-continuous）シグナルsl (t)は、数式（１）によって与えられる。数式（１）は、上りリンク物理シグナル、および、ＰＲＡＣＨを除く上りリンク物理チャネルに適用される。
【００６６】
【数１】
2019091959.tif 000003
【００６７】
ここで、ak,lは、リソースエレメント（ｋ，ｌ）のコンテンツである。スロットにおけるＳＣ−ＦＤＭＡシンボルは、ｌ＝０からスタートし、ｌの昇順で送信される。ＳＣ−ＦＤＭＡシンボルｌ＞０は、スロット内における数式（２）によって定義される時間にスタートする。
【００６８】
【数２】
2019091959.tif 000004
【００６９】
以下、本実施形態のＵＬ／ＤＬ設定（uplink/downlink configuration）について説明
する。
【００７０】
フレーム構造タイプ２に対して、以下の３つのタイプのサブフレームが定義される。
・下りリンクサブフレーム
・上りリンクサブフレーム
・スペシャルサブフレーム
【００７１】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００７２】
フレーム構造タイプ２の無線フレームは、少なくとも下りリンクサブフレーム、上りリンクサブフレーム、およびスペシャルサブフレームから構成される。フレーム構造タイプ２の無線フレームの構成は、ＵＬ／ＤＬ設定によって示される。端末装置１は、基地局装置３からＵＬ／ＤＬ設定を示す情報を受信する。基地局装置３は、セルに対応するＵＬ／ＤＬ設定を示す情報を含むシステムインフォメーションを、該セルにおいて報知してもよい。
【００７３】
図５は、本実施形態におけるＵＬ／ＤＬ設定を示す図である。図５は１つの無線フレームにおけるＵＬ／ＤＬ設定を示す。図７において、Ｄは下りリンクサブフレームを示し、Ｕは上りリンクサブフレームを示し、Ｓはスペシャルサブフレームを示す。
【００７４】
ＦＤＤにおいて全てのサブフレームが、下りリンクサブフレームである。ＦＤＤにおいて全てのサブフレームが上りリンクサブフレームである。
【００７５】
図６は、本実施形態における上りリンクサブフレームの一例を示す図である。図７は、本実施形態におけるスペシャルサブフレームの一例を示す図である。図６、および、図７において、横軸は時間軸であり、縦軸は周波数軸である。図６、および、図７において、下りリンクサイクリックプリフィックス設定、および、上りリンクサイクリックプリフィックス設定は、ノーマルサイクリックプリフィックスである。
【００７６】
ＤｗＰＴＳは、スペシャルサブフレームの最初のシンボルを含む。ＵｐＰＴＳは、スペ
シャルサブフレームの最後のシンボルを含む。ＧＰは、ＤｗＰＴＳとＵｐＰＴＳの間に存在する。端末装置１は、ＧＰの間に、下りリンクの受信処理から上りリンクの送信処理への切り替えを行ってもよい。ＵｐＰＴＳにおいて、ＰＵＳＣＨ、ＳＲＳ、および、ＰＲＡＣＨが送信される。
【００７７】
図８は、本実施形態における下りリンクにおけるノーマルＣＰに対するスペシャルサブフレーム設定（special subframe configuration）の一例を示す図である。下りリンクにおけるノーマルＣＰに対するスペシャルサブフレーム設定が０である場合、ＤｗＰＴＳの長さは6592・Tsであり、ＤｗＰＴＳはノーマルＣＰを含む３つのＯＦＤＭシンボルを含む。下りリンクにおけるノーマルＣＰに対するスペシャルサブフレーム設定が０であり、上りリンクＣＰ設定（uplink cyclic prefix configuration）がノーマルＣＰである場合、ＵｐＰＴＳの長さは(1+X)・2192・Tsであり、ＵｐＰＴＳはノーマルＣＰを含む（１＋Ｘ
）のＳＣ−ＦＤＭＡシンボルを含む。
【００７８】
当該Ｘは、ＵｐＰＴＳ内の追加されたＳＣ−ＦＤＭＡシンボルの数である。当該Ｘの値は、基地局装置３から受信したＲＲＣ層のパラメータUpPtsAddに基づいて与えられてもよい。当該Ｘのデフォルト値は０であってもよい。すなわち、当該ＲＲＣ層のパラメータによって当該Ｘの値が設定されない場合、当該Ｘの値は０であってもよい。追加されたＳＣ−ＦＤＭＡシンボルを、拡張されたＳＣ−ＦＤＭＡシンボルとも称する。（１＋Ｘ）の１は、当該ＲＲＣ層のパラメータUpPtsAddに基づいてＵｐＰＴＳ内の追加されていないＳＣ−ＦＤＭＡシンボルの数である。
【００７９】
当該ＲＲＣ層のパラメータUpPtsAddは、パラメータsrs-UpPtsAdd、パラメータpusch-UpPtsAdd、および、パラメータpucch-UpPtsAddを含んでもよい。パラメータsrs-UpPtsAddに基づいて追加されたＵｐＰＴＳにおいてＳＲＳが送信されてもよい。パラメータsrs-UpPtsAddに基づいて追加されたＵｐＰＴＳにおいてＰＵＳＣＨおよびＰＵＣＣＨは送信されない。パラメータpusch-UpPtsAddに基づいて追加されたＵｐＰＴＳにおいてＰＵＳＣＨおよびＳＲＳが送信されてもよい。パラメータpusch-UpPtsAddに基づいて追加されたＵｐＰＴＳにおいてＰＵＣＣＨは送信されない。パラメータpucch-UpPtsAddに基づいて追加されたＵｐＰＴＳにおいてＰＵＳＣＨ、ＰＵＣＣＨおよびＳＲＳが送信されてもよい。
【００８０】
当該ＲＲＣ層のパラメータUpPtsAddに基づいて追加されていないＵｐＰＴＳにおいてＳＲＳが送信されてもよい。当該ＲＲＣ層のパラメータUpPtsAddに基づいて追加されていないＵｐＰＴＳにおいてＰＵＳＣＨ、および、ＰＵＣＣＨは送信されない。
【００８１】
すなわち、基地局装置３は、端末装置１が追加されたＵｐＰＴＳフィールドにおいてＰＵＳＣＨ、および、ＰＵＣＣＨを送信してよいかどうかを、ＲＲＣ層のパラメータを用いて制御してもよい。
【００８２】
例えば、パラメータpusch-UpPtsAddの値が６である場合、（Ｙ＋Ｘ）の値は６である。当該Ｙは、１または２である。ここで、スペシャルサブフレーム設定が０の場合、Ｙの値は１であり、Ｘの値は５である。スペシャルサブフレーム設定が５または９の場合、Ｙの値は２であり、Ｘの値は４である。
【００８３】
パラメータUpPtsAddは、当該パラメータUpPtsAddが対応するスペシャルサブフレームを示すパラメータを含んでもよい。あるサービングセルに対して、パラメータUpPtsAddは、全てのスペシャルサブフレームに適用されてもよい。あるサービングセルに対して、パラメータUpPtsAddは、一部のスペシャルサブフレームに適用されてもよい。例えば、サブフレーム番号１のスペシャルサブフレームに対してパラメータUpPtsAddが適用され、サブフレーム番号６のスペシャルサブフレームに対してパラメータUpPtsAddが適用されなくても
よい。すなわち、サブフレーム番号１のスペシャルサブフレームは追加されたＵｐＰＴＳを含んでもよく、サブフレーム番号６のスペシャルサブフレームは追加されていないＵｐＰＴＳを含んでもよい。
【００８４】
図９は、本実施形態におけるパラメータUpPtsAddの取得方法の一例を示す図である。図９における方法は、プライマリーセルに対して適用されてもよい。
【００８５】
ステップＳ９００において、基地局装置３は、システムインフォメーションを報知する。端末装置１は、放置されているシステムインフォメーションを受信する。ここで、該システムインフォメーションは、上りリンクにおけるＣＰ長を示すパラメータUL-CyclicPrefixLength、スペシャルサブフレーム設定を示すパラメータspecialSubframePatterns、および、ＵＬ／ＤＬ設定を示すパラメータsubframeAssignmentを含んでもよい。ここで、パラメータUL-CyclicPrefixLength、パラメータspecialSubframePatterns、および、パラメータsubframeAssignmentは、セルスペシフィックパラメータである。該システムインフォメーションは、ＢＣＣＨ（Broadcast Control CHannel）を用いて送信される。ＢＣＣＨ
は、システム制御情報をブロードキャストするための下りリンクの論理チャネルである。
【００８６】
ステップＳ９０２において、基地局装置３は、端末装置１に関する能力情報UECapabilityInformationの伝送を要求するために用いられる情報UECapabilityEnquiryを、端末装置１に送信する。
【００８７】
ステップＳ９０４において、端末装置１は、情報UECapabilityEnquiryに応じて、端末
装置１に関する能力情報UECapabilityInformationを、基地局装置３に送信する。能力情
報UECapabilityInformatioは、
【００８８】
ステップＳ９０６において、基地局装置３は、受信した能力情報UECapabilityInformationに応じて、ＲＲＣコネクションを修正するための情報RRCConnectionReconfiguration
を生成し、生成した情報RRCConnectionReconfigurationを端末装置１に送信する。ここで、該情報RRCConnectionReconfigurationは、パラメータUpPtsAddを含んでもよい。基地局装置３は、受信した能力情報UECapabilityInformationに応じて、該情報RRCConnectionReconfigurationに、パラメータUpPtsAddを含めるかどうかを決定してもよい。基地局装置
３は、受信した能力情報UECapabilityInformationに応じて、該パラメータUpPtsAddに、
パラメータsrs-UpPtsAdd、パラメータpusch-UpPtsAdd、および／または、パラメータpucch-UpPtsAddを含めるかどうかを決定してもよい。該情報RRCConnectionReconfigurationは、ＤＣＣＨ（Dedicated Control CHannel）を用いて送信される。ＤＣＣＨは、基地局装
置３（ネットワーク）と端末装置１の間の専用制御情報（dedicated control information）を送信するポイント−ｔｏ−ポイント双方向論理チャネルである。
【００８９】
ステップＳ９０４において送信される能力情報UECapabilityInformationは、以下の(i)から(x)の一部、または、全部を少なくとも示してもよい。能力情報UECapabilityInformationは、以下の(i)から(x)の一部、または、全部を示す１つまたは複数の情報／パラメータを少なくとも含んでもよい。以下の(i)から(x)は、個別に示されてもよい。以下の(i)
から(x)の一部は、まとめて示されてもよい。
（i） 端末装置１が、ＵｐＰＴＳの追加をサポートしているかどうか
（ii） 端末装置１が、追加されたＵｐＰＴＳにおけるＳＲＳ送信をサポートしている
かどうか
（iii） 端末装置１が、パラメータsrs-UpPtsAddによって追加されたＵｐＰＴＳにおけるＳＲＳ送信をサポートしているかどうか
（iv） 端末装置１が、パラメータpusch-UpPtsAddによって追加されたＵｐＰＴＳにお
けるＳＲＳ送信をサポートしているかどうか
（v） 端末装置１が、パラメータpucch-UpPtsAddによって追加されたＵｐＰＴＳにおけるＳＲＳ送信をサポートしているかどうか
（vi） 端末装置１が、追加されたＵｐＰＴＳにおけるＰＵＳＣＨ送信をサポートして
いるかどうか
（vii） 端末装置１が、パラメータpusch-UpPtsAddによって追加されたＵｐＰＴＳにおけるＰＵＳＣＨ送信をサポートしているかどうか
（viii） 端末装置１が、パラメータpucch-UpPtsAddによって追加されたＵｐＰＴＳに
おけるＰＵＳＣＨ送信をサポートしているかどうか
（ix） 端末装置１が、追加されたＵｐＰＴＳにおけるＰＵＣＣＨ送信をサポートして
いるかどうか
（x） 端末装置１が、パラメータpucch-UpPtsAddによって追加されたＵｐＰＴＳにおけるＰＵＣＣＨ送信をサポートしているかどうか
【００９０】
上記（vii）をサポートする端末装置１は、必ず上記（ii）、（iv）をサポートしても
よい。上記（x）をサポートする端末装置１は、必ず上記（ii）、（v）、（vi）、（viii）をサポートしてもよい。
【００９１】
図１０、および、図１１は、本実施形態におけるＰＤＣＣＨが検出されるサブフレームと、対応するＰＵＳＣＨ送信が調整されるサブフレームの関係の第１の例を示す図である。図１２、および、図１３は、本実施形態におけるＰＤＣＣＨが検出されるサブフレームと、対応するＰＵＳＣＨ送信が調整されるサブフレームの関係の第２の例を示す図である。ここで、当該ＰＤＣＣＨは、下りリンク制御情報を含む。
【００９２】
端末装置１は、サブフレームｎにおける下りリンク制御情報を含むＰＤＣＣＨの検出に基づいて、当該ＰＤＣＣＨに対応するＰＵＳＣＨ送信をサブフレームｎ＋ｋに調整する。当該ｋの値は、少なくともＵＬ／ＤＬ設定に応じて与えられる。
【００９３】
端末装置１にパラメータpusch-UpPtsAdd、および、パラメータpucch-UpPtsAddが設定されていない場合、当該ｋの値は少なくとも図１０に基づいて与えられてもよい。図１１において、端末装置１は、サブフレーム番号３の下りリンクサブフレームにおける下りリンク制御情報を含むＰＤＣＣＨの検出に基づいて、当該下りリンク制御情報を含むＰＤＣＣＨに対応するＰＵＳＣＨ送信をサブフレーム番号７の上りリンクサブフレームに調整する。当該ｋの値が少なくとも図１０に基づいて与えられる場合、端末装置１は、対応するＰＵＳＣＨ送信をスペシャルサブフレームに調整することができる。
【００９４】
端末装置１にパラメータpusch-UpPtsAdd、および、パラメータpucch-UpPtsAddが設定されていない場合、ＰＤＣＣＨで送信される下りリンク制御情報（上りリンクグラント）に対して、上りリンクサブフレームはＰＵＳＣＨ送信のために利用可能なサブフレームであり、スペシャルサブフレームはＰＵＳＣＨ送信のために利用可能なサブフレームではない。
【００９５】
端末装置１にパラメータpusch-UpPtsAdd、または、パラメータpucch-UpPtsAddが設定されている場合、当該ｋの値は少なくとも図１２に基づいて与えられてもよい。図１３において、端末装置１は、サブフレーム番号１のスペシャルサブフレームにおける下りリンク制御情報を含むＰＤＣＣＨの検出に基づいて、当該下りリンク制御情報を含むＰＤＣＣＨに対応するＰＵＳＣＨ送信をサブフレーム番号６のスペシャルサブフレームに調整する。当該ｋの値が少なくとも図１１に基づいて与えられる場合、端末装置１は、対応するＰＵＳＣＨ送信をスペシャルサブフレームに調整することができる。
【００９６】
端末装置１にパラメータpusch-UpPtsAdd、または、パラメータpucch-UpPtsAddが設定さ
れている場合、ＰＤＣＣＨで送信される下りリンク制御情報（上りリンクグラント）に対して、上りリンクサブフレーム、および、追加されたＵｐＰＴＳを含むスペシャルサブフレームはＰＵＳＣＨ送信のために利用可能なサブフレームである。ここで、追加されたＵｐＰＴＳを含まないスペシャルサブフレームは、ＰＵＳＣＨ送信のために利用可能なサブフレームではない。
【００９７】
すなわち、端末装置１は、端末装置１にパラメータpusch-UpPtsAdd、または、パラメータpucch-UpPtsAddが設定されているかどうかに基づいて、図１０の表、および、図１１の表の何れかに一方を選択し、少なくとも選択した表に基づいて、当該ｋの値を決定してもよい。ここで、端末装置１は、当該選択した表に基づいて、下りリンク制御情報（上りリンクグラント）を含むＰＤＣＣＨのモニタをしてもよい。
【００９８】
以下、ランダムアクセス手順について説明する。
【００９９】
本実施形態において、プライマリーセル、または、セカンダリーセルにおいてランダムアクセス手順が実行されてもよい。ただし、時間領域における何れのポイントにおいても１つのランダムアクセス手順のみが実行される。すなわち、複数のランダムアクセス手順は同時に実行されない。
【０１００】
本実施形態において、プライマリーセルにおいてコンテンションベースランダムアクセス手順（contention based random access procedure）、および、非コンテンションベースランダムアクセス手順（non-contention based random access procedure）が実行されてもよい。
【０１０１】
プライマリーセルにおけるＰＲＡＣＨでランダムアクセスプリアンブルが送信されてもよい。端末装置１は、プライマリーセルにおけるランダムアクセス手順に関する情報（ＲＲＣメッセージ）を、基地局装置３から受信する。プライマリーセルにおけるランダムアクセス手順に関する情報は、プライマリーセルにおけるＰＲＡＣＨリソースのセットを示す情報を含む。
【０１０２】
コンテンションベースランダムアクセス手順の場合、端末装置１自身によってランダムアクセスプリアンブルのインデックスがランダムに選択される。非コンテンションベースランダムアクセス手順の場合、基地局装置３から受信した情報に基づいて端末装置１によってランダムアクセスプリアンブルのインデックスが選択される。
【０１０３】
プライマリーセルに対するランダムアクセスレスポンスは、プライマリーセルにおけるＰＤＳＣＨで送信される。プライマリーセルに対するランダムアクセスレスポンスは、プライマリーセルにおいて送信されたランダムアクセスプリアンブルに対応している。ランダムアクセスレスポンス（ＤＬ−ＳＣＨ、トランスポートブロック）を含むＰＤＳＣＨに対応するＰＤＣＣＨは、ＲＡ−ＲＮＴＩ（Random Access-Radio Network Identifier）を含む。当該ＰＤＣＣＨは下りリンク制御情報（下りリンクグラント）を含む。
【０１０４】
ランダムアクセスレスポンスは、上りリンクグラントにマップされる上りリンクグラントフィールド、および、Ｔｅｍｐｏｒａｒｙ  Ｃ−ＲＮＴＩを示すための情報にマップされるＴｅｍｐｏｒａｒｙ  Ｃ−ＲＮＴＩフィールドを含む。ランダムアクセスレスポンスに含まれる上りリンクグラントを、ランダムアクセスレスポンスグラントとも称する。
【０１０５】
受信したランダムアクセスレスポンスに、送信したランダムアクセスプリアンブルに対応するランダムアクセスプリアンブル識別子が含まれており、基地局装置３から受信した情報に基づいて端末装置１によってランダムアクセスプリアンブルが選択された場合、端
末装置１は非コンテンションベースランダムアクセス手順が成功裏に完了したとみなし、ランダムアクセスレスポンスグラントに基づいてＰＵＳＣＨでトランスポートブロックを送信する。
【０１０６】
受信したランダムアクセスレスポンスに、送信したランダムアクセスプリアンブルに対応するランダムアクセスプリアンブル識別子が含まれており、端末装置１自身によってランダムアクセスプリアンブルがランダムに選択された場合、Ｔｅｍｐｏｒａｒｙ  Ｃ−ＲＮＴＩをＴｅｍｐｏｒａｒｙ  Ｃ−ＲＮＴＩフィールドの値にセットし、ランダムアクセスレスポンスに含まれている上りリンクグラントに基づいてＰＵＳＣＨでランダムアクセスメッセージ３（トランスポートブロック）を送信する。
【０１０７】
ランダムアクセスレスポンスに含まれている上りリンクグラントに対応するＰＵＳＣＨは、対応するプリアンブルがＰＲＡＣＨで送信されたサービングセルにおいて送信される。
【０１０８】
メッセージ３を送信した後に、端末装置１は、コンテンションリゾリューション（contention resolution）を受信する。コンテンションリゾリューションの受信に基づいて、
端末装置１はコンテンションベースランダムアクセス手順が成功裏に完了したとみなす。
【０１０９】
サブフレームｎにおいてＲＡ−ＲＮＴＩを含むＰＤＣＣＨが検出された場合、端末装置１は、ランダムアクセスレスポンスに含まれる情報（ランダムアクセスレスポンスグラント）に基づいて、ＰＵＳＣＨ送信のための最初に利用可能なサブフレーム（first available subframe）ｎ＋ｋ（ｋ≧６）、または、当該ＰＵＳＣＨ送信のための最初に利用可能なサブフレームｎ＋ｋの後の次に利用可能なサブフレームにおいて、ＰＵＳＣＨを送信する。
【０１１０】
ランダムアクセスレスポンスグラントに含まれる遅延フィールドが０にセットされている場合、ＰＵＳＣＨは当該ＰＵＳＣＨ送信のための最初に利用可能なサブフレームｎ＋ｋ（ｋ≧６）において送信される。ランダムアクセスレスポンスグラントに含まれる遅延フィールドが１にセットされている場合、ＰＵＳＣＨは当該ＰＵＳＣＨ送信のための最初に利用可能なサブフレームｎ＋ｋ（ｋ≧６）の後の次に利用可能なサブフレームにおいて送信される。
【０１１１】
ＰＵＳＣＨ送信のために利用可能なサブフレームは、ＵＬ／ＤＬ設定に基づく。ＰＵＳＣＨ送信のために利用可能なサブフレームは、図１４のフロー図、または、図１６のフロー図に基づいて与えられる。図１４の第１のフロー図、および、図１６の第２のフロー図は、端末装置１に対してパラメータpusch-UpPtsAdd、または、パラメータpucch-UpPtsAddが設定されている場合に適用されてもよい。
【０１１２】
図１４は、本実施形態におけるＰＵＳＣＨ送信のために利用可能なサブフレームを決定するための第１のフロー図である。
【０１１３】
ステップＳ１４００において、端末装置１は、あるサービングセルに対して、基地局装置３から受信した情報に基づいて、ＵＬ／ＤＬ設定をセットする。
【０１１４】
ステップＳ１４０２において、ランダムアクセスレスポンスグラントが受信された場合、または、ＲＡ−ＲＮＴＩを含むＰＤＣＣＨが検出された場合、ステップＳ１４０４に進む。
【０１１５】
ステップＳ１４０４において、ランダムアクセスレスポンスグラントに対応するＰＵＳ
ＣＨ送信のために利用可能なサブフレームは、ＵＬ／ＤＬ設定によって上りリンクサブフレームとして指示されるサブフレームである。
【０１１６】
ステップＳ１４０２において、Ｃ−ＲＮＴＩ、および、上りリンクグラントを含むＰＤＣＣＨが検出された場合、ステップＳ１４０６に進む。
【０１１７】
ステップＳ１４０６において、ＰＤＣＣＨに含まれる上りリンクグラントに対応するＰＵＳＣＨ送信のために利用可能なサブフレームは、ＵＬ／ＤＬ設定によって上りリンクサブフレーム、または、スペシャルサブフレームとして指示されるサブフレームである。ここで、当該スペシャルサブフレームは、追加されたＵｐＰＴＳを含むスペシャルサブフレームである。
【０１１８】
すなわち、端末装置１、および、基地局装置３は、ＰＵＳＣＨ送信が、ＰＤＣＣＨに含まれる上りリンクグラント、および、ランダムアクセスレスポンスグラントの何れに対応するかに基づいて、対応するＰＵＳＣＨ送信のために利用可能なサブフレームを決定してもよい。
【０１１９】
図１５は、本実施形態におけるランダムアクセスレスポンスグラントに対応するＰＵＳＣＨ送信のために利用可能なサブフレームの一例を示す図である。ＳＦＮは無線フレームの番号である。図１５において、ランダムアクセスレスポンスグラントに対応するＰＵＳＣＨ送信のために利用可能なサブフレームは、サブフレーム番号２および７のサブフレームである。図１５において、ＳＦＮ０のサブフレーム０において、ＲＡ−ＲＮＴＩを含むＰＤＣＣＨ、および、ランダムアクセスレスポンスグラント（１５００）を受信する。図１５において、対応するＰＵＳＣＨ送信のために最初に利用可能なサブフレームｎ＋ｋ（ｋ≧６）（１５０１）は、ＳＦＮ０のサブフレーム７である。図１５において、対応するＰＵＳＣＨ送信のための最初に利用可能なサブフレームｎ＋ｋ（ｋ≧６）の後の次に利用可能なサブフレームは、ＳＦＮ１のサブフレーム２である。
【０１２０】
図１６は、本実施形態におけるＰＵＳＣＨ送信のために利用可能なサブフレームを決定するための第２のフロー図である。
【０１２１】
ステップＳ１６００において、端末装置１は、あるサービングセルに対して、基地局装置３から受信した情報に基づいて、ＵＬ／ＤＬ設定をセットする。
【０１２２】
ステップＳ１６０２において、コンテンションベースランダムアクセス手順に関連するランダムアクセスレスポンスグラントが受信された場合、ステップＳ１６０４に進む。
【０１２３】
ステップＳ１６０４において、対応するＰＵＳＣＨ送信のために利用可能なサブフレームは、ＵＬ／ＤＬ設定によって上りリンクサブフレームとして指示されるサブフレームである。
【０１２４】
ステップＳ１６０２において、Ｃ−ＲＮＴＩ、および、上りリンクグラントを含むＰＤＣＣＨが検出された場合、または、非コンテンションベースランダムアクセス手順に関連するランダムアクセスレスポンスグラントが受信された場合、ステップＳ１６０６に進む。
【０１２５】
ステップＳ１６０６において、対応するＰＵＳＣＨ送信のために利用可能なサブフレームは、ＵＬ／ＤＬ設定によって上りリンクサブフレーム、または、スペシャルサブフレームとして指示されるサブフレームである。ここで、当該スペシャルサブフレームは、追加されたＵｐＰＴＳを含むスペシャルサブフレームである。
【０１２６】
すなわち、端末装置１、および、基地局装置３は、ＰＵＳＣＨ送信が、コンテンションベースランダムアクセス手順に関連するランダムアクセスレスポンスグラント、および、非コンテンションベースランダムアクセス手順に関連するランダムアクセスレスポンスグラントの何れに対応するかに基づいて、対応するＰＵＳＣＨ送信のために利用可能なサブフレームを決定してもよい。
【０１２７】
すなわち、端末装置１、および、基地局装置３は、ランダムアクセスレスポンスグラントが、コンテンションベースランダムアクセス手順、および、非コンテンションベースランダムアクセス手順の何れに対応するかに基づいて、対応するＰＵＳＣＨ送信のために利用可能なサブフレームを決定してもよい。
【０１２８】
図１７は、本実施形態におけるランダムアクセスレスポンスグラントに対応するＰＵＳＣＨ送信のために利用可能なサブフレームの一例を示す図である。ＳＦＮは無線フレームの番号である。図１７の（Ｉ）は、コンテンションベースランダムアクセス手順に関連する例である。図１７の（ＩＩ）は、非コンテンションベースランダムアクセス手順に関連する例である。
【０１２９】
図１７の（Ｉ）において、コンテンションベースランダムアクセス手順に関連するランダムアクセスレスポンスグラントに対応するＰＵＳＣＨ送信のために利用可能なサブフレームは、サブフレーム番号２および７のサブフレームである。図１７の（Ｉ）において、ＳＦＮ０のサブフレーム０において、コンテンションベースランダムアクセス手順に関連するランダムアクセスレスポンスグラント（１７００）を受信する。図１７の（Ｉ）において、対応するＰＵＳＣＨ送信のために最初に利用可能なサブフレームｎ＋ｋ（ｋ≧６）（１７０１）は、ＳＦＮ０のサブフレーム７である。図１７の（Ｉ）において、対応するＰＵＳＣＨ送信のための最初に利用可能なサブフレームｎ＋ｋ（ｋ≧６）の後の次に利用可能なサブフレームは、ＳＦＮ１のサブフレーム２である。
【０１３０】
図１７の（ＩＩ）において、非コンテンションベースランダムアクセス手順に関連するランダムアクセスレスポンスグラントに対応するＰＵＳＣＨ送信のために利用可能なサブフレームは、サブフレーム番号１、２、６、および、７のサブフレームである。図１７の（ＩＩ）において、ＳＦＮ０のサブフレーム０において、非コンテンションベースランダムアクセス手順に関連するランダムアクセスレスポンスグラント（１７０３）を受信する。図１７の（ＩＩ）において、対応するＰＵＳＣＨ送信のために最初に利用可能なサブフレームｎ＋ｋ（ｋ≧６）（１７０４）は、ＳＦＮ０のサブフレーム６である。図１７の（ＩＩ）において、対応するＰＵＳＣＨ送信のための最初に利用可能なサブフレームｎ＋ｋ（ｋ≧６）の後の次に利用可能なサブフレームは、ＳＦＮ０のサブフレーム７である。
【０１３１】
以下、本実施形態における装置の構成について説明する。
【０１３２】
図１８は、本実施形態における端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および
、ベースバンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【０１３３】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Co
nvergence Protocol: PDCP）層、無線リンク制御（Radio Link Control: RLC）層、無線
リソース制御（Radio Resource Control: RRC）層の処理を行なう。
【０１３４】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、スケジューリングリクエストの伝送の制御を行う。
【０１３５】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１３６】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０１３７】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【０１３８】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【０１３９】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１４０】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１４１】
図１９は、本実施形態における基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１４２】
上位層処理部３４は、媒体アクセス制御（MAC: Medium Access Control）層、パケットデータ統合プロトコル（Packet Data Convergence Protocol: PDCP）層、無線リンク制御
（Radio Link Control: RLC）層、無線リソース制御（Radio Resource Control: RRC）層の処理を行なう。
【０１４３】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。
【０１４４】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１４５】
無線送受信部３０の機能は、無線送受信部１０と同様であるため説明を省略する。
【０１４６】
端末装置１が備える符号１０から符号１６が付された部のそれぞれは、回路として構成されてもよい。基地局装置３が備える符号３０から符号３６が付された部のそれぞれは、回路として構成されてもよい。
【０１４７】
以下、本実施形態における、端末装置１および基地局装置３の種々の態様について説明する。
【０１４８】
（１）本実施形態の第１の態様は、端末装置であって、追加されるＵｐＰＴＳ（Uplink
Pilot Time Slot）の設定を示すための情報を受信する受信部１０と、ＳＲＳ（Sounding
Reference Signal）、および、ＰＵＳＣＨ（Physical Uplink Shared Channel）を送信
する送信部１０と、を備え、前記送信部１０は、（ｉ）端末装置がスペシャルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を送信する。
【０１４９】
（２）本実施形態の第２の態様は、基地局装置であって、追加されるＵｐＰＴＳ（Uplink Pilot Time Slot）の設定を示すための情報を送信する送信部３０と、ＳＲＳ（Sounding Reference Signal）、および、ＰＵＳＣＨ（Physical Uplink Shared Channel）を受
信する受信部３０と、を備え、前記受信部３０は、（ｉ）端末装置がスペシャルサブフレームに含まれる前記追加されたＵｐＰＴＳにおける前記ＳＲＳの送信をサポートしているかどうか、および、（ｉｉ）前記端末装置が前記スペシャルサブフレームに含まれる前記追加されたＵｐＰＴＳにおける前記ＰＵＳＣＨの送信をサポートしているかどうかを示すために用いられる能力情報を受信する。
【０１５０】
（３）本実施形態の第３の態様は、端末装置であって、ランダムアクセスレスポンスグラントを含むランダムアクセスレスポンス、および、下りリンク制御情報を受信する受信部１０と、前記下りリンク制御情報に基づいて、スペシャルサブフレームに含まれる追加されたＵｐＰＴＳ（Uplink Pilot Time Slot）においてＰＵＳＣＨ（Physical Uplink Shared Channel）を送信する送信部１０と、を備え、前記ランダムアクセスレスポンスグラ
ントに対応するＰＵＳＣＨ送信のために利用可能なサブフレームは、前記追加されたＵｐＰＴＳを含む前記スペシャルサブフレーム以外の上りリンクサブフレームである。
【０１５１】
（４）本実施形態の第４の態様は、端末装置であって、ランダムアクセスレスポンスグラントを含むランダムアクセスレスポンスを受信する受信部１０と、前記ランダムアクセスレスポンスグラントに基づいて、ＰＵＳＣＨ（Physical Uplink Shared Channel）を送信する送信部１０と、を備え、非コンテンションベースランダムアクセス手順に関連する前記ランダムアクセスレスポンスグラントに対応するＰＵＳＣＨ送信に対して、利用可能なサブフレームは、追加されたＵｐＰＴＳ（Uplink Pilot Time Slot）を含むスペシャルサブフレームが少なくとも含む。
【０１５２】
（５）本実施形態の第４の態様において、コンテンションベースランダムアクセス手順に関連する前記ランダムアクセスレスポンスグラントに対応するＰＵＳＣＨ送信に対して、利用可能なサブフレームは、前記追加されたＵｐＰＴＳを含むスペシャルサブフレームを含まない。
【０１５３】
（６）本実施形態の第３の態様、および、本実施形態の第４の態様において、前記送信部１０は、ＲＡ−ＲＮＴＩ（Random Access-Radio Network Temporary Identifier）に関連するＰＤＣＣＨ（Physical Downlink Control Channel）がサブフレームｎにおいて検
出され、尚且つ、対応するトランスポートブロックが送信されたランダムアクセスプリアンブルに対するランダムアクセスレスポンスを含んでいる場合、前記ＰＵＳＣＨ送信のために最初に利用可能なサブフレームｎ＋ｋ（ｋ≧６）、または、前記ＰＵＳＣＨ送信のために最初に利用可能なサブフレームｎ＋ｋの後の次に利用可能なサブフレームにおいて、前記ＰＵＳＣＨ送信を行う。
【０１５４】
（７）本実施形態の第３の態様、および、本実施形態の第４の態様において、前記受信部１０は、前記追加されたＵｐＰＴＳの設定を示すための情報を受信する。
【０１５５】
（８）本実施形態の第５の態様は、基地局装置であって、ランダムアクセスレスポンスグラントを含むランダムアクセスレスポンス、および、下りリンク制御情報を送信する送信部３０と、前記下りリンク制御情報に基づいて、スペシャルサブフレームに含まれる追加されたＵｐＰＴＳ（Uplink Pilot Time Slot）においてＰＵＳＣＨ（Physical Uplink Shared Channel）を受信する受信部３０と、を備え、前記ランダムアクセスレスポンスグラントに対応するＰＵＳＣＨ送信のために利用可能なサブフレームは、前記追加されたＵｐＰＴＳを含む前記スペシャルサブフレーム以外の上りリンクサブフレームである。
【０１５６】
（９）本実施形態の第６の態様は、基地局装置であって、ランダムアクセスレスポンスグラントを含むランダムアクセスレスポンスを送信する送信部３０と、前記ランダムアクセスレスポンスグラントに基づいて、ＰＵＳＣＨ（Physical Uplink Shared Channel）を受信する受信部３０と、を備え、非コンテンションベースランダムアクセス手順に関連する前記ランダムアクセスレスポンスグラントに対応するＰＵＳＣＨ送信に対して、利用可能なサブフレームは、追加されたＵｐＰＴＳ（Uplink Pilot Time Slot）を含むスペシャルサブフレームが少なくとも含む。
【０１５７】
（１０）本実施形態の第５の態様、および、本実施形態の第６の態様において、前記受信部３０は、ＲＡ−ＲＮＴＩ（Random Access-Radio Network Temporary Identifier）に関連するＰＤＣＣＨ（Physical Downlink Control Channel）がサブフレームｎにおいて
送信され、尚且つ、対応するトランスポートブロックが受信されたランダムアクセスプリアンブルに対するランダムアクセスレスポンスを含んでいる場合、前記ＰＵＳＣＨ送信のために最初に利用可能なサブフレームｎ＋ｋ（ｋ≧６）、または、前記ＰＵＳＣＨ送信の
ために最初に利用可能なサブフレームｎ＋ｋの後の次に利用可能なサブフレームにおいて、前記ＰＵＳＣＨ送信を受信する。
【０１５８】
（１１）本実施形態の第５の態様、および、本実施形態の第６の態様において、前記送信部３０は、前記追加されたＵｐＰＴＳの設定を示すための情報を送信する。
【０１５９】
これにより、端末装置および基地局装置は互いに、上りリンクの信号を用いて効率的に通信することができる。
【０１６０】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１６１】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１６２】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１６３】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１６４】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１６５】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１６６】
また、上述した実施形態における端末装置１、基地局装置３の一部、又は全部を典型的には集積回路であるＬＳＩとして実現してもよいし、チップセットとして実現してもよい
。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１６７】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、自動車、自転車、その他生活機器などの端末装置もしくは通信装置にも適用出来る。
【０１６８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１６９】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2019091959.tif 000005
【図２】
2019091959.tif 000006
【図３】
2019091959.tif 000007
【図４】
2019091959.tif 000008
【図５】
2019091959.tif 000009
【図６】
2019091959.tif 000010
【図７】
2019091959.tif 000011
【図８】
2019091959.tif 000012
【図９】
2019091959.tif 000013
【図１０】
2019091959.tif 000014
【図１１】
2019091959.tif 000015
【図１２】
2019091959.tif 000016
【図１３】
2019091959.tif 000017
【図１４】
2019091959.tif 000018
【図１５】
2019091959.tif 000019
【図１６】
2019091959.tif 000020
【図１７】
2019091959.tif 000021
【図１８】
2019091959.tif 000022
【図１９】
2019091959.tif 000023